(57)【特許請求の範囲】
【請求項１】
複数の電話端末が登録されており、該登録された複数の電話端末に対し通話制御を行う電話端末制御装置であって、
当該電話端末制御装置にアクセスするためのアクセス番号と該アクセス番号に基づいて当該電話端末制御装置にアクセスする際に用いる認証用パスワードとを含む電話端末の新規登録要求を前記電話端末から受信する受信手段と、
前記受信手段により受信された前記新規登録要求に含まれているアクセス番号と同じアクセス番号に対応する認証用パスワードを、一又は複数のアクセス番号と一又は複数の認証用パスワードとが互いに関連付けされて格納されているデータベースから取得する取得手段と、
前記取得手段により取得された認証用パスワードと、前記新規登録要求に含まれている認証用パスワードとを比較する比較手段と、
前記比較手段による比較結果が前記二つの認証用パスワードの一致を示す場合には、前記新規登録要求を行った電話端末を、前記新規登録要求に含まれているアクセス番号に関連付けて前記データベースに登録する端末登録手段と
を備える、ことを特徴とする電話端末制御装置。
【請求項２】
前記端末登録手段は、当該電話端末制御装置に外部端末から着信があった旨を前記データベースに登録された電話端末に通知する着信通知方法を、前記新規登録要求を行った電話端末から取得すると、当該電話端末と前記着信通知方法とを前記新規登録要求に含まれているアクセス番号に関連付けて前記データベースに登録し、
当該電話端末制御装置は、
アクセス番号を含む通話要求が外部端末から当該電話端末制御装置に着信すると、該通話要求に含まれているアクセス番号と同じアクセス番号に関連付けされて前記データベースに登録されている一又は複数の電話端末の各々に対し、該一又は複数の電話端末毎に前記データベースに登録されている前記着信通知方法を用いて着信通知を行う着信通知手段を更に備える、ことを特徴とする請求項１に記載の電話端末制御装置。
【請求項３】
前記着信通知手段により着信通知された前記一又は複数の電話端末のうち、この着信通知に対し最先に応答した電話端末と前記外部端末との通話を確立する通話確立手段を更に備える、ことを特徴とする請求項２に記載の電話端末制御装置。
【発明の詳細な説明】
【技術分野】
【０００１】
本発明は、複数の電話端末の通話制御を行う電話端末制御装置に関する。
【背景技術】
【０００２】
従来、複数の電話端末の通話を制御する電話端末制御装置が実現されている。電話端末制御装置は、外部から着信があると、この電話端末制御装置に接続された複数の電話端末を呼び出す。電話端末制御装置は、この電話端末制御装置からの呼び出しに対して最先に応答した電話端末と、この着信の発信元との間に通話を確立する。特許文献１に記載の交換機は、上記のような従来の電話端末制御装置の一例である。特許文献１に記載の交換機には予め登録された複数の着呼端末（電話端末）が接続されており、交換機が行う電話端末に対する制御内容の設定は、電話端末から行えるようになっている。
【特許文献１】特開平１０−２８１７６号公報
【発明の開示】
【発明が解決しようとする課題】
【０００３】
この交換機には、予め複数の電話端末が登録されているが、電話端末の使用者の増加等によって新たな電話端末の新規登録が必要となる場合が生じる。この場合、交換機側で電話端末の新規登録が行われる。しかし、電話端末の新規登録を必要とするか否かが電話端末の使用者等によって判断されるような場合には、交換機側で新規登録を行うのは電話端末の使用者にとって負担である。
【０００４】
そこで、本発明は、上記事情に鑑み、電話端末の新規登録が電話端末の使用者等によって容易に行える電話端末制御装置を提供することを目的とする。
【課題を解決するための手段】
【０００５】
本発明は、複数の電話端末が登録されており、登録された複数の電話端末に対し通話制御を行う電話端末制御装置であって、１）当電話端末制御装置にアクセスするためのアクセス番号とアクセス番号に基づいて当電話端末制御装置にアクセスする際に用いる認証用パスワードとを含む電話端末の新規登録要求を電話端末から受信する受信手段と、２）受信手段により受信された新規登録要求に含まれているアクセス番号と同じアクセス番号に対応する認証用パスワードを、一又は複数のアクセス番号と一又は複数の認証用パスワードとが互いに関連付けされて格納されているデータベースから取得する取得手段と、３）取得手段により取得した認証用パスワードと、新規登録要求に含まれている認証用パスワードとを比較する比較手段と、４）比較手段による比較結果が二つの認証用パスワードの一致を示す場合には、新規登録要求を行った電話端末を、新規登録要求に含まれているアクセス番号に関連付けてデータベースに登録する端末登録手段とを備える、ことを特徴とする。本発明の電話端末制御装置によれば、電話端末制御装置に対し、電話端末から、アクセス番号の新規作成要求と電話端末の新規登録要求とが行える。従って、電話端末の新規登録を必要とするか否かが電話端末の使用者等によって判断されるような場合であっても、電話端末の新規登録は、電話端末制御装置側で行われることなく電話端末を介して電話端末の使用者等によって行われる。
【０００６】
更に、本発明では、端末登録手段は、当電話端末制御装置に外部端末から着信があった旨をデータベースに登録された電話端末に通知する着信通知方法を、新規登録要求を行った電話端末から取得すると、当電話端末と着信通知方法とを新規登録要求に含まれているアクセス番号に関連付けてデータベースに登録し、当電話端末制御装置は、アクセス番号を含む通話要求が外部端末から当電話端末制御装置に着信すると、通話要求に含まれているアクセス番号と同じアクセス番号に関連付けされてデータベースに登録されている一又は複数の電話端末の各々に対し、一又は複数の電話端末毎にデータベースに登録されている着信通知方法を用いて着信通知を行う着信通知手段を更に備えるのが好ましい。本発明の電話端末制御装置によれば、外部端末から電話端末制御装置に着信があった旨を電話端末に通知する着信通知方法の指定が、アクセス番号及び電話端末毎に電話端末から行える。これにより、電話端末の使用者は、自身の都合に応じて着信通知方法が指定できる。
【０００７】
更に、本発明では、着信通知手段により着信通知された一又は複数の電話端末のうち、この着信通知に対し最先に応答した電話端末と外部端末との通話を確立する通話確立手段を更に備えるのが好ましい。本発明の電話端末制御装置によれば、一の着信通知に対し複数の電話端末が応答した場合であっても、最先に応答した一の電話端末に対してのみ、外部端末との通話が確立される。このため、複数の電話端末による混線が回避できる。
【発明の効果】
【０００８】
本発明によれば、電話端末の新規登録が電話端末の使用者等によって容易に行える。
【発明を実施するための最良の形態】
【０００９】
以下、図面を参照して、本発明に係る好適な実施形態について詳細に説明する。なお、図面の説明においては同一要素には同一符号を付し、重複する説明を省略する場合がある。本実施形態に係る電話端末制御装置１０は、複数の電話端末３０が登録されており（登録された電話端末を電話端末３０と総称する）、複数の電話端末３０の各々に対し通話制御を行う。電話端末制御装置１０は、電話端末３０の新規登録等が可能である。電話端末３０や外部の電話端末（外部電話端末３２）等が電話端末制御装置１０にアクセス（通信）する場合には、電話端末制御装置１０が有する一又は複数の代表番号（アクセス番号）のうちの何れか一の代表番号が用いられる。代表番号は、電話端末３０や外部の電話端末等が電話端末制御装置１０にアクセス（通信）する際に用いる番号である。電話端末制御装置１０は、代表番号の新規登録が可能である。
【００１０】
まず、電話端末制御装置１０の構成について説明する。図１に、電話端末制御装置１０のハードウェア構成を示す。電話端末制御装置１０は、物理的には、バス１２０に接続されたＣＰＵ１０１、ＲＡＭ１０２、ＲＯＭ１０３、補助記憶装置１０４、入力装置１０５、出力装置１０６、音源出力装置１０７、通話接続装置１０８、回線交換送受信装置１０９及びデータ送受信装置１１０を備える。
【００１１】
ＣＰＵ１０１は、ＲＯＭ１０３等に格納された所定のコンピュータソフトウェアをＲＡＭ１０２等にロードして実行することにより、電話端末制御装置１０を統括的に制御する。ＣＰＵ１０１は、特に、図２に示す複数の機能を実現する。図２は、電話端末制御装置１０の機能ブロック図である。電話端末制御装置１０は、機能的には、代表番号作成手段１１、受信手段１２、取得手段１３、比較手段１４、端末登録手段１５、着信通知手段１６、通話確立手段１８及びデータベース２０を備える。代表番号作成手段１１、受信手段１２、取得手段１３、比較手段１４、端末登録手段１５、着信通知手段１６及び通話確立手段１８は、ＣＰＵ１０１が上述のコンピュータソフトウェアを実行し、図１に示す各構成部を動作させることによって実現される機能であり、データベース２０は、補助記憶装置１０４（或いは、ＲＡＭ１０２及びＲＯＭ１０３）に格納されたデータである。代表番号作成手段１１、受信手段１２、取得手段１３、比較手段１４、端末登録手段１５、着信通知手段１６及び通話確立手段１８は、図４に示すシーケンスによって表される代表番号の新規作成処理、図５に示すシーケンスによって表される電話端末の新規登録処理及び図６に示すシーケンスによって表される電話端末に対する通話確立処理を行う。データベース２０は、図３に示すデータを有する。なお、重複説明を避けるため、代表番号作成手段１１、受信手段１２、取得手段１３、比較手段１４、端末登録手段１５、着信通知手段１６及び通話確立手段１８の各説明は、後述する図４〜図６の各シーケンスの説明に替える。
【００１２】
ここで、図３を参照して、データベース２０の内容について説明する。図３は、データベース２０の内容の一例を示す図である。データベース２０は、レコードＲ１、レコードＲ２及びレコードＲ３等の複数のレコードを有する。レコードＲ１、レコードＲ２及びレコードＲ３等の各レコードは、代表番号２０ａ、認証用パスワード２０ｂ、着信通知方法２０ｃ及び端末番号２０ｄを含む。図３に示す例では、レコードＲ１の代表番号２０ａが“＃１０００”に設定されており、レコードＲ２の代表番号２０ａが“＃１００１”に設定されており、レコードＲ３の代表番号２０ａが“＃１００２”に設定されている。認証用パスワード２０ｂは、代表番号毎に設定されている。認証用パスワード２０ｂは、代表番号に基づいて電話端末３０ａや電話端末３０ｂ等（電話端末３０と総称される）が電話端末制御装置１０にアクセスする際に用いる認証情報であると共に、レコードＲ１、レコードＲ２及びレコードＲ３等の各レコードの内容を変更する際の認証に用いる情報である。図３に示す例では、レコードＲ１の認証用パスワード２０ｂが“１２３４５６”に設定されており、レコードＲ２の認証用パスワード２０ｂが“５６７８９０”に設定されており、レコードＲ３の認証用パスワード２０ｂが“１３５７９１” に設定されている。
【００１３】
着信通知方法２０ｃ及び端末番号２０ｄは、電話端末３０ａ及び電話端末３０ｂ等毎に設けられた情報である。着信通知方法２０ｃは、電話端末３０に着信通知を行う方法を指定するための情報である。端末番号２０ｄは、着信通知を電話端末３０に送信する際に用いる番号であり、例えば、電話端末３０の電話番号やメールアドレス等である。着信通知方法２０ｃに“メール”と設定されている場合には、端末番号２０ｄにはメールアドレスが設定されており、着信通知方法２０ｃに“電話呼出”と設定されている場合には、端末番号２０ｄには電話番号が設定されている。
【００１４】
図３に示す例では、レコードＲ１（代表番号“＃１０００”）における電話端末３０ａの着信通知方法２０ｃが“電話呼出”に設定されおり、電話端末３０ｂの着信通知方法２０ｃが“ＳＭＳ”（Short Massage Service）に設定されている。また、レコードＲ２（代表番号“＃１００１”）における電話端末３０ａの着信通知方法２０ｃは“電話呼出”に設定されており、電話端末３０ｂの着信通知方法２０ｃは“メール” に設定されている。また、レコードＲ３（代表番号“＃１００２”）における電話端末３０ａの着信通知方法２０ｃは“メール”に設定されており、電話端末３０ｂの着信通知方法２０ｃは“電話呼出” に設定されている。
【００１５】
図１に戻って電話端末制御装置１０の構成の説明を続ける。ハードディスク等の補助記憶装置１０４は、書き込み／読み出しが自在な記憶装置であり、入力装置１０５は、入力デバイスであるキーボード及びマウス等である。出力装置１０６は、ＬＣＤ等のディスプレイであり、音源出力装置１０７は、操作ガイダンス等を音声出力するための装置である。通話接続装置１０８は、着信のあった外部の電話端末（例えば外部電話端末３２）と、電話端末制御装置１０（データベース２０）に登録された電話端末３０との通話を確立するための装置である。回線交換送受信装置１０９は、電話回線を任意の通話先に接続し、通話開始から終了まで電話回線を保持しておく装置であり、データ送受信装置１１０は、着脱可能又は固定的に設けられたネットワークカード等である。
【００１６】
次に、実施形態に係る電話端末制御装置１０の動作を説明する。はじめに、代表番号の新規作成処理について説明する。図４は、代表番号の新規作成処理を説明するためのシーケンスである。以下で説明する代表番号の新規作成処理のうち電話端末制御装置１０が行う処理は、図２に示す代表番号作成手段１１によって行われる。代表番号の新規作成要求が電話端末３０から電話端末制御装置１０に送信されと（ステップＳ４０１）、この代表番号の新規作成要求が代表番号作成手段１１により受信される。
【００１７】
ステップＳ４０１の後、代表番号作成手段１１は、代表番号（図３に示す代表番号２０ａに対応）と認証用パスワード（図３に示す認証用パスワード２０ｂに対応）とを新規に作成する（ステップＳ４０３）。ステップＳ４０３の後、代表番号作成手段１１は、データベース２０に新規レコード（図３に示すレコードＲ１等に対応）を追加し、ステップＳ４０３において作成した代表番号と認証用パスワードとをこの新規レコードに記録する（ステップＳ４０５）。ステップＳ４０５の後、代表番号作成手段１１は、ステップＳ４０３において新規に作成した代表番号と認証用パスワードとを、電話端末３０に通知する（ステップＳ４０７）。以上により、代表番号の新規登録処理が終了する。
【００１８】
次に、電話端末の新規登録処理について説明する。図５は、電話端末の新規登録処理を説明するためのシーケンスである。以下で説明する電話端末の新規登録処理のうち電話端末制御装置１０が行う処理は、図２に示す受信手段１２、取得手段１３、比較手段１４及び端末登録手段１５によって行われる。なお、この電話端末の新規登録処理は、上述した代表番号の新規作成処理が行われていることを前提とする。電話端末の新規登録要求が、電話端末３０から電話端末制御装置１０に送信されると（ステップＳ５０１）、この電話端末の新規登録要求は受信手段１２により受信される。電話端末の新規登録要求には、上述した代表番号の新規作成処理時に代表番号作成手段１１から電話端末３０に通知された代表番号と認証用パスワードとが含まれている。なお、電話端末の新規登録処理の説明に用いる電話端末３０は、上述の代表番号の新規作成処理の説明で用いた電話端末３０とは異なる電話端末であってもよい。
【００１９】
ステップＳ５０１の後、取得手段１３は、電話端末の新規登録要求に含まれている代表番号に対応する認証用パスワードをデータベース２０から読み出す（ステップＳ５０３）。次に、比較手段１４は、電話端末の新規登録要求に含まれている認証用パスワードと、ステップＳ５０３においてデータベース２０から読み出された認証用パスワードとを比較する（ステップＳ５０５）。
【００２０】
ステップＳ５０５において行われた比較の結果、電話端末の新規登録要求に含まれている認証用パスワードと、ステップＳ５０３においてデータベース２０から読み出された認証用パスワードとが一致しない場合（ステップＳ５０５：不一致）、端末登録手段１５は、電話端末の登録拒否通知を電話端末３０に送信する（ステップＳ５０７）。ステップＳ５０１において電話端末３０を介して電話端末の新規登録要求を行った者が、代表番号の作成者（ステップＳ４０７において代表番号作成手段１１から、代表番号と認証用パスワードとを通知された者）から認証用パスワードを知らされた者ではないことを意味しているからである。
【００２１】
一方、ステップＳ５０５において行われた比較の結果、電話端末の新規登録要求に含まれている認証用パスワードと、ステップＳ５０３においてデータベース２０から読み出された認証用パスワードとが一致した場合（ステップＳ５０５：一致）、端末登録手段１５は、登録要求の対象となっている電話端末３０の端末番号（図３に示す端末番号２０ｄに対応）及び着信通知方法（図３に示す着信通知方法２０ｃに対応）の入力要求を電話端末３０に送信する（ステップＳ５０９）。ステップＳ５０９の後、電話端末３０は、ステップＳ５０９において端末登録手段１５により送信された端末番号及び着信通知方法の入力要求に応じて、端末番号及び着信通知方法が入力されると（ステップＳ５１１）、この入力された端末番号及び着信通知方法の登録要求を電話端末制御装置１０に送信する。
【００２２】
電話端末３０から電話端末制御装置１０に送信された端末番号及び着信通知方法の登録要求が受信手段１２により受信されると、端末登録手段１５は、端末番号及び着信通知方法の登録要求に含まれる端末番号及び着信通知方法を、データベース２０の該当するレコードに記録する（ステップＳ５１３）。なお、着信通知方法が電話呼出又はＳＭＳの場合には、電話端末の新規登録要求を行った電話端末３０の発信者番号（電話番号）が端末番号となる。ステップＳ５１３の後、端末登録手段１５は、電話端末の登録完了通知を電話端末３０に通知する（ステップＳ５１５）。以上により、電話端末の新規登録処理が終了する。
【００２３】
次に、電話端末に対する通話確立処理について説明する。図６は、電話端末に対する通話確立処理を説明するためのシーケンスである。以下に説明する電話端末に対する通話確立処理のうち電話端末制御装置１０が行う処理は、図２に示す着信通知手段１６及び通話確立手段１８によって行われる。なお、電話端末に対する通話確立処理は、上述した電話端末の新規登録処理が行われていることを前提とする。また、電話端末に対する通話確立処理の説明に用いる電話端末３０は、上述の代表番号の新規作成処理及び電話端末の新規登録処理の各説明で用いた電話端末３０とは異なる電話端末であってもよい。
【００２４】
外部電話端末３２（外部端末）から電話端末制御装置１０に通話要求の着信があると（ステップＳ６０１）、この通話要求が通話確立手段１８により受信される。この通話要求には、データベース２０に登録されている一又は複数の代表番号のうちの何れか一の代表番号が含まれている。ステップＳ６０１の後、通話確立手段１８は、通話要求に含まれている代表番号と同じ代表番号に関連付けされた一又は複数の電話端末３０の端末番号及び着信通知方法（図３に示す端末番号２０ｄ及び着信通知方法２０ｃ）をデータベース２０から読み出す（ステップＳ６０３）。
【００２５】
ステップＳ６０３の後、通話確立手段１８は、データベース２０から読み出した一又は複数の電話端末３０の端末番号及び着信通知方法を着信通知手段１６に出力する。この後、着信通知手段１６は、通話確立手段１８から出力された一又は複数の電話端末３０の端末番号及び着信通知方法に応じて、各電話端末３０に着信通知を行う（ステップＳ６０５）。例えば、着信通知方法が“電話呼出”に設定されている場合、端末番号には電話番号が設定されており、着信通知手段１６は、この電話番号宛に電話呼出を行い着信通知する。また、着信通知方法が“ＳＭＳ”に設定されている場合、端末番号には電話番号が設定されており、着信通知手段１６は、この電話番号宛にＳＭＳを送信し着信通知する。また、着信通知方法が“メール”に設定されている場合、端末番号にはメールアドレスが設定されており、着信通知手段１６は、このメールアドレス宛にメールを送信し着信通知を行う。なお、着信通知には、電話端末制御装置１０の通話確立手段１８への接続番号が含まれている。
【００２６】
ステップＳ６０５の後、着信通知手段１６から着信通知された電話端末３０は、着信通知方法に応じて着信通知応答を行う（ステップＳ６０７）。例えば、電話呼出により着信通知された場合には、電話呼出に応答することで電話端末制御装置１０の通話確立手段１８に接続する。また、ＳＭＳ若しくはメールにより着信通知された場合には、ＳＭＳ若しくはメールに含まれている通話確立手段１８の接続番号宛に電話呼出することにより、電話端末制御装置１０の通話確立手段１８に接続する。
【００２７】
ステップＳ６０７の後、電話端末制御装置１０の通話確立手段１８は、着信通知応答を電話端末３０から受信すると、この電話端末３０が、ステップＳ６０５において行った着信通知に対し最先に着信通知応答を行った電話端末であるか否かを判定する（ステップＳ６０９）。この電話端末３０が、ステップＳ６０５において行った着信通知に対し最初に着信通知応答を行った電話端末ではないと判定した場合（ステップＳ６０９：ＮＯ）、通話確立手段１８は、応答拒否をこの電話端末３０に送信する（ステップＳ６１１）。この電話端末３０が、ステップＳ６０５において行った着信通知に対し最初に着信通知応答を行った電話端末であると判定した場合（ステップＳ６０９：ＹＥＳ）、通話確立手段１８は、この電話端末３０と外部電話端末３２との通話を確立する（ステップＳ６１３）。以上により、電話端末に対する通話確立処理が終了する。
【００２８】
続いて、実施形態に係る電話端末制御装置１０の作用及び効果を説明する。電話端末制御装置１０は、複数の電話端末３０が登録されており、登録された複数の電話端末３０に対し通話制御を行う。電話端末制御装置１０は、電話端末制御装置１０にアクセスするための代表番号と、この代表番号に基づいて電話端末制御装置１０にアクセスする際に用いる認証用パスワードとを含む電話端末の新規登録要求を電話端末から受信する受信手段１２を備える。電話端末制御装置１０は、更に、受信手段１２により受信された新規登録要求に含まれている代表番号と同じ代表番号に対応する認証用パスワードを、一又は複数の代表番号と一又は複数の認証用パスワードとが互いに関連付けされて格納されているデータベース２０から取得する取得手段１３を備える。電話端末制御装置１０は、更に、取得手段１３により取得された認証用パスワードと、新規登録要求に含まれている認証用パスワードとを比較する比較手段１４を備える。電話端末制御装置１０は、更に、比較手段１４による比較結果が二つの認証用パスワードの一致を示す場合には、新規登録要求を行った電話端末３０を、新規登録要求に含まれている代表番号に関連付けてデータベースに登録する端末登録手段１５を備える。このように、電話端末制御装置１０によれば、電話端末制御装置１０に対し、代表番号の新規作成要求と電話端末の新規登録要求とが電話端末３０から行える。このため、電話端末の新規登録を必要とするか否かが電話端末３０の使用者等によって判断されるような場合であっても、電話端末の新規登録が、電話端末制御装置１０側で行われることなく電話端末３０を介して電話端末３０の使用者等によって行われる。従って、新たな電話端末の新規登録が電話端末３０の使用者等によって容易に行える。
【００２９】
更に、端末登録手段１５は、電話端末制御装置１０に外部電話端末から着信があった旨をデータベース２０に登録された電話端末に通知する着信通知方法を、新規登録要求を行った電話端末３０から取得すると、この電話端末３０と着信通知方法とを新規登録要求に含まれている代表番号に関連付けてデータベース２０に登録し、電話端末制御装置１０は、代表番号を含む通話要求が外部電話端末３２から電話端末制御装置１０に着信すると、通話要求に含まれている代表番号と同じ代表番号に関連付けされてデータベース２０に登録されている一又は複数の電話端末の各々に対し、電話端末毎にデータベース２０に登録されている着信通知方法を用いて着信通知を行う着信通知手段１６を更に備える。従って、外部端末から電話端末制御装置１０に着信があった旨を電話端末に通知する着信通知方法の指定が、代表番号及び電話端末毎に電話端末３０から行える。これにより、電話端末３０の使用者は、自身の好みに応じて着信通知方法が指定できる。
【００３０】
更に、電話端末制御装置１０は、着信通知手段１６により着信通知された一又は複数の電話端末３０のうち、この着信通知に対し最先に応答した電話端末３０と外部電話端末３２との通話を確立する通話確立手段１８を更に備える。従って、一の着信通知に対し複数の電話端末３０が応答した場合であっても、最先に応答した一の電話端末３０に対してのみ、外部電話端末３２との通話が確立される。このため、複数の電話端末３０による混線が回避できる。
【００３１】
なお、本発明は、上記の実施形態に限らない。例えば、実施形態では、電話呼出及びＳＭＳの端末番号の登録は、電話端末３０の発信者番号のみであったが、これに限らず、電話端末３０から任意に入力される端末番号であってもよい。このような構成にすることで柔軟な端末番号の登録が可能になる。
【図面の簡単な説明】
【００３２】
【図１】実施形態に係る電話端末制御装置の構成を示す図である。
【図２】実施形態に係る電話端末制御装置の機能構成を示す図である。
【図３】実施形態に係るデータベースの構成を示す図である。
【図４】実施形態に係る電話端末制御装置の動作を説明するためのシーケンスである。
【図５】実施形態に係る電話端末制御装置の動作を説明するためのシーケンスである。
【図６】実施形態に係る電話端末制御装置の動作を説明するためのシーケンスである。
【符号の説明】
【００３３】
１０…電話端末制御装置、１１…代表番号作成手段、１２…受信手段、１３…取得手段、１４…比較手段、１５…端末登録手段、１６…着信通知手段、１８…通話確立手段、２０…データベース、２０ａ…代表番号、２０ｃ…着信通知方法、２０ｄ…端末番号、２０ｂ…パスワード、３０…電話端末、３２…外部電話端末、１０１…ＣＰＵ、１０２…ＲＡＭ、１０３…ＲＯＭ、１０４…補助記憶装置、１０５…入力装置、１０６…出力装置、１０７…音源出力装置、１０８…通話接続装置、１０９…回線交換送受信装置、１１０…データ送受信装置、１２０…バス。
【図１】
0004571596.tif 000002
【図２】
0004571596.tif 000003
【図３】
0004571596.tif 000004
【図４】
0004571596.tif 000005
【図５】
0004571596.tif 000006
【図６】
0004571596.tif 000007